(57)【要約】【課題】光源に応じた色レベルの差異に対して適切な色変換係数群により色空間の変換を行う画像読取装置、画像形成装置、及びプログラムを提供する。【解決手段】色変換パラメータ記憶部１２２には、黄色のｂ＊値及びシアン色のａ＊値の組み合わせと色変換パラメータとの対応関係表が予め記憶されている。色変換パラメータ設定処理では、黄色の色見本及びシアン色の色見本を読み取った画像データ（Ｒ、Ｇ、Ｂ）を色変換回路１１２で画像データ（Ｌ＊、ａ＊、ｂ＊）に色変換処理し、色変換パラメータ設定回路１１４の色変換パラメータ設定部１２０が色変換パラメータ設定回路１１４から、黄色のｂ＊値及びシアン色のａ＊値を取得する。色変換パラメータ設定部１２０は、色変換パラメータ記憶部１２２に記憶されている対応関係表に基づいて、取得した黄色のｂ＊値及びシアン色のａ＊値の組み合わせに対応する色変換パラメータを選択する。【選択図】図２
2013070173.tif 000002
【特許請求の範囲】
【請求項１】
光源から被照射体に照射された光の反射光を読み取って第１色空間における色レベルが示された第１画像情報を生成する読取手段により生成された第１画像情報を、予め定められた色変換係数群を用いて、前記第１色空間と異なる第２色空間における色レベルが示された第２画像情報に変換する変換手段と、
光源に応じた色レベルの差異を補正するための予め定められた複数色の色見本を前記被照射体として前記読取手段で読み取って生成された第１画像情報から前記変換手段により変換された前記複数色の色見本の第２画像情報を取得し、前記複数色の色見本を読み取った際の光源に応じた色レベルの差異により予め定められた、前記複数色の色見本の第２画像情報の色レベルと色変換係数群との対応関係に基づいて、取得した前記複数色の色見本の第２画像情報に対応する色変換係数群を選択して前記変換手段の予め定められた色変換係数群に代えて設定する設定手段と、
を備えた画像読取装置。
【請求項２】
前記対応関係は、前記複数色同士の第２画像情報の色レベルの組み合わせと色変換係数群との対応関係を示す対応関係表である、請求項１に記載の画像読取装置。
【請求項３】
前記対応関係は、前記色レベルの差異に応じて前記複数色毎に予め定められた閾値と色変換係数群との対応関係であり、前記設定手段は、取得した前記複数色の色見本の第２画像情報の色レベルが前記閾値以上であるか否かの判断結果に基づいて、色変換係数群を選択する、請求項１に記載の画像読取装置。
【請求項４】
前記設定手段は、取得した前記複数色の色見本の第２色情報の色レベルの組み合わせが、前記対応関係により色変換係数群と対応付けられていない場合は、予め定められた処理を行う、請求項１から請求項３のいずれか１項に記載の画像読取装置。
【請求項５】
前記複数色は、黄色及びシアン色であり、前記第２色空間は、Ｌ＊ａ＊ｂ＊色空間であり、前記設定手段は、第２画像情報のうち、黄色の色レベルであるｂ＊値及びシアン色の色レベルであるａ＊値を取得する、請求項１から請求項４のいずれか１項に記載の画像読取装置。
【請求項６】
光源から被照射体に照射された光の反射光を読み取って第１色空間における色レベルを示す第１画像情報を生成する読取手段と、
前記読取手段で生成された第１画像情報を色変換係数群を用いて第２画像情報に変換する変換手段、及び変換手段が用いる色変換係数群を設定する設定手段を備えた前記請求項１から前記請求項５のいずれか１項に記載の画像読取装置と、
前記画像読取装置で変換された第２画像情報に基づいて画像を形成する画像形成手段と、
を備えた画像形成装置。
【請求項７】
光源から被照射体に照射された光の反射光を読み取って第１色空間における色レベルが示された第１画像情報を生成する読取手段により生成された第１画像情報を、予め定められた色変換係数群を用いて、前記第１色空間と異なる第２色空間における色レベルが示された第２画像情報に変換する変換手段と、
光源に応じた色レベルの差異を補正するための予め定められた複数色の色見本を前記被照射体として前記読取手段で読み取って生成された第１画像情報から前記変換手段により変換された前記複数色の色見本の第２画像情報を取得し、前記複数色の色見本を読み取った際の光源に応じた色レベルの差異により予め定められた、前記複数色の色見本の第２画像情報の色レベルと色変換係数群との対応関係に基づいて、取得した前記複数色の色見本の第２画像情報に対応する色変換係数群を選択して前記変換手段の予め定められた色変換係数群に代えて設定する設定手段と、
してコンピュータを機能させるためのプログラム。
【発明の詳細な説明】
【技術分野】
【０００１】
本発明は、画像読取装置、画像形成装置、及びプログラムに関する。
【背景技術】
【０００２】
特許文献１には、異なる発光体からの光が合成された光を生成し、被照射体に当該光を照射する光源と、前記光源から照射され前記被照射体から反射された光を読み取り、当該被照射体に関する第１の色空間での画像情報を生成する読取手段と、前記読取手段にて生成された前記被照射体に関する前記第１の色空間の画像情報を、予め設定された色変換係数群を用いて第２の色空間の画像情報に変換する色変換手段と、前記光源の前記光を生成する前記発光体の何れか一つが発生する光の色からなる色見本を前記被照射体とする前記画像情報を前記読取手段から取得し、取得した当該画像情報に応じて前記色変換手段にて使用する前記色変換係数群を決定し、当該色変換係数群を当該色変換手段に設定する色変換係数群設定手段とを備えたことを特徴とする画像読取装置が記載されている。
【先行技術文献】
【特許文献】
【０００３】
【特許文献１】特開２０１１−０２４１３５号公報
【発明の概要】
【発明が解決しようとする課題】
【０００４】
本発明は、光源に応じた色レベルの差異に対して適切な色変換係数群により色空間の変換を行う画像読取装置、画像形成装置、及びプログラムを提供することを目的とする。
【課題を解決するための手段】
【０００５】
上記目的を達成するために、請求項１に記載の画像読取装置は、光源から被照射体に照射された光の反射光を読み取って第１色空間における色レベルが示された第１画像情報を生成する読取手段により生成された第１画像情報を、予め定められた色変換係数群を用いて、前記第１色空間と異なる第２色空間における色レベルが示された第２画像情報に変換する変換手段と、光源に応じた色レベルの差異を補正するための予め定められた複数色の色見本を前記被照射体として前記読取手段で読み取って生成された第１画像情報から前記変換手段により変換された前記複数色の色見本の第２画像情報を取得し、前記複数色の色見本を読み取った際の光源に応じた色レベルの差異により予め定められた、前記複数色の色見本の第２画像情報の色レベルと色変換係数群との対応関係に基づいて、取得した前記複数色の色見本の第２画像情報に対応する色変換係数群を選択して前記変換手段の予め定められた色変換係数群に代えて設定する設定手段と、を備えた画像読取装置。
【０００６】
請求項２に記載の画像読取装置は、請求項１に記載の画像読取装置において、前記対応関係は、前記複数色同士の第２画像情報の色レベルの組み合わせと色変換係数群との対応関係を示す対応関係表である。
【０００７】
請求項３に記載の画像読取装置は、請求項１に記載の画像読取装置において、前記対応関係は、前記色レベルの差異に応じて前記複数色毎に予め定められた閾値と色変換係数群との対応関係であり、前記設定手段は、取得した前記複数色の色見本の第２画像情報の色レベルが前記閾値以上であるか否かの判断結果に基づいて、色変換係数群を選択する。
【０００８】
請求項４に記載の画像読取装置は、請求項１から請求項３のいずれか１項に記載の画像読取装置において、前記設定手段は、取得した前記複数色の色見本の第２色情報の色レベルの組み合わせが、前記対応関係により色変換係数群と対応付けられていない場合は、予め定められた処理を行う。
【０００９】
請求項５に記載の画像読取装置は、請求項１から請求項４のいずれか１項に記載の画像読取装置において、前記複数色は、黄色及びシアン色であり、前記第２色空間は、Ｌ＊ａ＊ｂ＊色空間であり、前記設定手段は、第２画像情報のうち、黄色の色レベルであるｂ＊値及びシアン色の色レベルであるａ＊値を取得する。
【００１０】
請求項６に記載の画像形成装置は、光源から被照射体に照射された光の反射光を読み取って第１色空間における色レベルを示す第１画像情報を生成する読取手段と、前記読取手段で生成された第１画像情報を色変換係数群を用いて第２画像情報に変換する変換手段、及び変換手段が用いる色変換係数群を設定する設定手段を備えた前記請求項１から前記請求項５のいずれか１項に記載の画像読取装置と、前記画像読取装置で変換された第２画像情報に基づいて画像を形成する画像形成手段と、を備えた。
【００１１】
請求項７に記載のプログラムは、光源から被照射体に照射された光の反射光を読み取って第１色空間における色レベルが示された第１画像情報を生成する読取手段により生成された第１画像情報を、予め定められた色変換係数群を用いて、前記第１色空間と異なる第２色空間における色レベルが示された第２画像情報に変換する変換手段と、光源に応じた色レベルの差異を補正するための予め定められた複数色の色見本を前記被照射体として前記読取手段で読み取って生成された第１画像情報から前記変換手段により変換された前記複数色の色見本の第２画像情報を取得し、前記複数色の色見本を読み取った際の光源に応じた色レベルの差異により予め定められた、前記複数色の色見本の第２画像情報の色レベルと色変換係数群との対応関係に基づいて、取得した前記複数色の色見本の第２画像情報に対応する色変換係数群を選択して前記変換手段の予め定められた色変換係数群に代えて設定する設定手段と、してコンピュータを機能させるためのものである。
【発明の効果】
【００１２】
請求項１、請求項６、及び請求項７に記載の発明によれば、本構成を有しない場合と比較して、光源に応じた色レベルの差異に対して適切な色変換係数群により色空間の変換を行うことができる。
【００１３】
請求項２に記載の発明によれば、本構成を有しない場合と比較して、適切な色変換係数群を容易に選択することができる。
【００１４】
請求項３に記載の発明によれば、本構成を有しない場合と比較して、色変換係数群の設定処理速度を向上させられる。
【００１５】
請求項４に記載の発明によれば、本構成を有しない場合と比較して、不適切な色変換パラメータが設定されるのを抑制することができる。
【００１６】
請求項５に記載の発明によれば、本構成を有しない場合と比較して、より適切な色変換係数群を選択することができる。
【図面の簡単な説明】
【００１７】
【図１】第１の実施の形態に係る画像形成装置の一例の全体の概略構成を示す概略構成図である。
【図２】第１の実施の形態に係る画像読取装置の一例の概略構成を示す概略構成図である。
【図３】第１の実施の形態に係る照明ユニットの一例の概略構成を示す概略構成図である。
【図４】第１の実施の形態に係る信号処理部の一例の概略構成を示す概略構成図である。
【図５】第１の実施の形態に係る信号処理部の一例の構成を示すブロック図である。
【図６】第１の実施の形態に係る色変換パラメータ設定回路の一例の構成を示すブロック図である。
【図７】第１の実施の形態に係る基本例における、照明ユニットの光源であるＬＥＤの各カテゴリの色レベルのバラツキを説明するための説明図であり、（Ａ）は、黄色のｂ＊値の上限値及び下限値を示しており、（Ｂ）は、シアン色のａ＊値の上限値及び下限値を示している。
【図８】図７に示した黄色のｂ＊値とシアン色のａ＊値との組み合わせと各カテゴリとの対応関係を表した二元表である。
【図９】各カテゴリ毎に７個のＬＥＤの黄色のａ＊値、ｂ＊値及びシアン色のａ＊値、ｂ＊値を示した説明図であり、（Ａ）は、黄色のａ＊値及びｂ＊値を示しており、（Ｂ）は、シアン色のａ＊値及びｂ＊値を示している。
【図１０】図９に示した黄色のｂ＊値とシアン色のａ＊値との組み合わせと各カテゴリとの対応関係を表した二元表である。
【図１１】第１の実施の形態に係る色変換パラメータ処理の一例を示したフローチャートである。
【図１２】第２の実施の形態に係る各カテゴリにおける黄色のｂ＊値及びシアン色のａ＊値の分布と閾値ＴＨ１及び閾値ＴＨ２との関係を説明するための説明図である。
【図１３】第２の実施の形態に係る色変換パラメータ処理の一例を示したフローチャートである。
【発明を実施するための形態】
【００１８】
［第１の実施の形態］
【００１９】
以下、図面を参照して本発明の実施の形態の一例を詳細に説明する。
【００２０】
まず、図１を参照して、本実施の形態の画像形成装置の概略について説明する。図１に、本実施の形態の画像形成装置の一例の全体の概略構成を示す。
【００２１】
図１に示す本実施の形態の画像形成装置１０は、複写機能やプリント機能やファクシミリ機能等を複合的に備えた多機能装置であり、画像読取装置１２と、画像形成装置部１４と、で構成されている。
【００２２】
まず、画像形成装置部１４について説明する。本実施の形態の画像形成装置部１４は、各色の画像データに基づき画像を形成する画像形成部２０と、画像形成装置１０全体の動作を制御する制御部４０と、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、及びインターネット等のネットワークを介してパーソナルコンピュータ(ＰＣ)等の外部装置から画像データを受信する通信部４４と、を備えている。また、本実施の形態の画像形成装置部１４は、公衆回線を通じて画像データの送受信を行うファクシミリ（ＦＡＸ）部４６と、画像読取装置１２や通信部４０等から転送された画像データに対して予め定められた画像処理を施す画像処理部４２と、ユーザからの指示を受け付けたり、画像読取及び画像形成に関する情報をユーザに提示したりするＵ／Ｉ（ユーザインターフェイス）部４８と、を備えている。
【００２３】
画像形成部２０は、例えば電子写真方式により画像を形成する機能部であって、並列的に配置される４つの画像形成ユニット２１Ｙ、２１Ｍ、２１Ｃ、２１Ｋ（以下、総称する場合は、画像形成ユニット２１という）を備えている。各画像形成ユニット２１は、例えば、静電潜像を形成してトナー像を保持する感光体ドラム２２、感光体ドラム２２の表面を予め定められた電位で帯電する帯電器２３、帯電器２３によって帯電された感光体ドラム２２を画像データに基づいて露光するプリントヘッド２４、感光体ドラム２２上に形成された静電潜像を現像する現像器２５、及び転写後の感光体ドラム２２表面を清掃するクリーナ２６で構成されている。
【００２４】
また、画像形成部２０は、各画像形成ユニット２１の感光体ドラム２２にて形成された各色トナー像が多重転写される中間転写体２７、各画像形成ユニット２１による各色トナー像を中間転写体２７に順次転写（一次転写）させる一次転写ロール２８、中間転写体２７上に転写されて重ね合わされたトナー像を記録材（記録用紙Ｐ）に一括転写（二次転写）させる二次転写ロール２９、及び二次転写された画像を記録用紙Ｐ上に定着させる定着器３０を備えている。
【００２５】
画像形成部２０の各画像形成ユニット２１は、電子写真方式によりイエロー（Ｙ）、マゼンタ（Ｍ）、シアン（Ｃ）、及びブラック（Ｋ）の各色トナー像を形成する。各画像形成ユニット２１で形成された各色トナー像は、一次転写ロール２８により中間転写体２７上に順次静電転写され、各色トナーが重ね合わされた合成トナー像が形成される。中間転写体２７上の合成トナー像は、中間転写体２７の移動（図１の矢印Ａ方向）に伴って二次転写ロール２９が配置された領域に搬送され、用紙収納部３１Ａ、３２１Ｂから供給（図１の矢印Ｂ方向）される記録用紙Ｐ上に一括して静電転写される。その後、記録用紙Ｐ上に静電転写された合成トナー像は、定着器３０によって定着処理を受けて記録用紙Ｐ上に定着される。
【００２６】
次に、本実施の形態の画像読取装置１２について説明する。図２に、本実施の形態の画像読取装置１２の概略構成を示す。本実施の形態の画像読取装置１２は、自動原稿送り装置５０と、原稿の表面に形成された画像を読み取る画像読取処理部５２と、を備えて構成されている。
【００２７】
本実施の形態の自動原稿送り装置５０は、少なくとも１枚の原稿が置かれる原稿台６０と、原稿を搬送する原稿搬送路６１と、画像を読み取った後の原稿が排出される排出台６２と、を含んで構成されている。
【００２８】
原稿搬送路６１は、Ｕ字状に形成され、原稿搬送路６１の周囲には、用紙送出ロール６３、送出ロール６４、プリ位置合わせロール６５、位置合わせロール６６、プラテンロール６７、アウトロール６８、及び排出ロール６９が設けられている。用紙送出ロール６３は、原稿送り時に下降し、原稿台６０に置かれた原稿をピックアップする。送出ロール６４は、用紙送出ロール６３から送られた原稿のうち最上部にある原稿を内部に供給する。プリ位置合わせロール６５は、送出ロール６４から送られた原稿を一時停止させ、斜行補正する。位置合わせロール６６は、プリ位置合わせロール６５から送られた原稿を一時停止させ、読取りタイミングを調整する。プラテンロール６７は、原稿搬送路２６１通る原稿を第２プラテンガラス７４に対峙させる。アウトロール６８及び排出ロール６９は、読み取った原稿を排出台６２へ排出する。
【００２９】
本実施の形態の画像読取装置１２は、原稿台６０から自動原稿送り装置５０により送られた原稿の表面を流し読みする機能と、第１プラテンガラス７０上に置かれた原稿の表面を読み取る機能と、を備えている。
【００３０】
本実施の形態の画像読取処理部１４は、筐体７５内に、ＣＣＤイメージセンサ８８、信号処理部９０、及びスキャナ制御部９２等を備えている。
【００３１】
筐体７５の自動原稿送り装置５０に対向する面には、図２に示すように、画像を読み取る原稿が置かれる第１プラテンガラス７０、白基準板７２、及び自動原稿送り装置５０によって搬送中の原稿を読み取るために原稿に光を照射するための開口部となる第２プランテンガラス７４が設けられている。
【００３２】
また、画像読取装置１２は、第２プラテンガラス７４の読取位置Ｍに静止するか、または第１プラテンガラス７０の全体に亘って走査（スキャン）しながら画像を読み取るフルレートキャリッジ７６、フルレートキャリッジ７６から得られた光をＣＣＤイメージセンサ８８に導くハーフレートキャリッジ７８を筐体７５内に備えている。
【００３３】
フルレートキャリッジ７６は、原稿に光を照射する光源を備えた照明ユニット８０、照明ユニット８０から出射された光を原稿面に向けて拡散させながら反射する拡散反射部材８３、原稿面から得られた反射光をハーフレートキャリッジ７８に向けて反射する第１ミラー８２を備えている。
【００３４】
ハーフレートキャリッジ７８は、フルレートキャリッジ７６から得られた光をＣＣＤイメージセンサ８８へ導く第２ミラー８５及び第３ミラー８４を備えている。
【００３５】
本実施の形態の照明ユニット８０は、光源として白色発光ダイオード（ＬＥＤ：Ｌｉｇｈｔ  Ｅｍｉｔｔｉｎｇ  Ｄｉｏｄｅ、以下、ＬＥＤという）が複数配列されて構成されている。本実施の形態の照明ユニット８０の一例の概略構成図を図３に示す。本実施の形態の照明ユニット８０は、多層基板８７上にＬＥＤチップ（以下、単にＬＥＤという）８１が複数、主走査方向に沿って配列されている。なお、本実施の形態では、中間転写体２７の搬送方向（図１、矢印Ａ方向）を副走査方向としており、これと交差する方向を主走査方向としている。
【００３６】
本実施の形態ではＬＥＤ８１は白色ＬＥＤであり、具体的には、青色ＬＥＤチップと黄色の蛍光物質を含有させた透明樹脂とが積層されて構成されている。青色ＬＥＤチップの放つ青色光によりチップ周囲の黄色蛍光物質を励起させて、黄色の蛍光を発生させる。それにより、補色関係にある青色と黄色とを足し合わせて（合成させて）、白色光を生成する。
【００３７】
本実施の形態のＣＣＤ（Ｃｈａｒｇｅ  Ｃｏｕｐｌｅｄ  Ｄｅｖｉｃｅ）イメージセンサ８８は、ハーフレートキャリッジ７８から得られた光学像を光学的に縮小する結像レンズ８６によって結像された光学像を光電変換してＲ（赤）、Ｇ（緑）、Ｂ（青）の各色信号（画像信号）を生成する機能を有している。本実施の形態のＣＣＤイメージセンサ８８は、具体的一例として、Ｒ、Ｇ、Ｂの各色用の１次元ラインセンサが３列一組で配置された構成としている。
【００３８】
また、スキャナ制御部９２は、画像読取装置１２の動作を制御する機能を有するものであり、本実施の形態の信号処理部９０は、ＣＣＤイメージセンサ８８からの各色の画像信号（Ｒ、Ｇ、Ｂ）を処理して画像データを生成する機能を有している。スキャナ制御部９２及び信号処理部９０は、信号線によって画像形成装置部１４の制御部４０及び画像処理部４２にそれぞれ接続され、相互に制御信号や読取画像データ等の送受信を行う。
【００３９】
本実施の形態の画像読取装置１２において第１プラテンガラス７０に置かれた原稿を読み取る場合には、画像形成装置部１４のＵ／Ｉ部４８からのユーザの操作指示に基づき、画像形成装置部１４の制御部４０がスキャナ制御部９２に対して第１プラテンガラス７０に載せられた原稿の読取りを指示する。
【００４０】
画像形成装置部１４の制御部４０から第１プラテンガラス７０に載せられた原稿の読取り指示を受けたスキャナ制御部９２は、フルレートキャリッジ７６とハーフレートキャリッジ７８とをスキャン方向（図２矢印Ｃ方向）に移動させる。さらには、フルレートキャリッジ７６の照明ユニット８０を発光させ、原稿面を照射する。当該照射により、原稿からの反射光が第１ミラー８２、第２ミラー８５、及び第３ミラー８４を経て結像レンズ８６に導かれる。結像レンズ８６に導かれた光は、ＣＣＤイメージセンサ８８の受光面に結像される。ＣＣＤイメージセンサ８８は、Ｒ、Ｇ、Ｂ各色毎に１ライン分を略同時に処理する。そして、このライン方向の読取りを原稿サイズ全体に亘るスキャンによって実行することで、１ページ分の原稿読み取りを行う。
【００４１】
このようにしてＣＣＤイメージセンサ８８によって得られた画像信号（Ｒ、Ｇ、Ｂ）は信号処理部９０に転送される。
【００４２】
一方、画像読取装置１２において原稿台６０に置かれた原稿を読み取る場合には、画像形成装置部１４のＵ／Ｉ部４８からのユーザの操作指示に基づき、画像形成装置部１４の制御部４０がスキャナ制御部９２に対して原稿台６０に置かれた原稿の読取りを指示する。
【００４３】
画像形成装置部１４の制御部４０から原稿台６０に置かれた原稿の読取り指示を受けたスキャナ制御部９２は、原稿台６０に置かれた原稿を原稿搬送路６１に沿って第２プラテンガラス７４の読取位置Ｍに搬送する。このとき、フルレートキャリッジ７６とハーフレートキャリッジ７８とは、図２に示す実線の位置に停止した状態に設定される。そして、フルレートキャリッジ７６の照明ユニット８０を発光させ、原稿面を照射する。それにより、プラテンロール６７により第２プラテンガラス７４に密着された原稿の反射光が、第１ミラー８２、第２ミラー８５、及び第３ミラー８４を経て結像レンズ８６に導かれる。結像レンズ８６に導かれた光は、ＣＣＤイメージセンサ８８の受光面に結像される。ＣＣＤイメージセンサ８８は、Ｒ、Ｇ、Ｂ各色毎に１ライン分を略同時に処理する。そして、原稿全体を第２プラテンガラス７４の読取位置Ｍを通過させることによって、１ページ分の原稿読み取りを行う。
【００４４】
このＣＣＤイメージセンサ８８によって得られた画像信号（Ｒ、Ｇ、Ｂ）は信号処理部９０に転送される。
【００４５】
なお、照明ユニット８０からＣＣＤイメージセンサ８８に至る光路上に配置される各種部材や、信号処理部９０を構成する各機能部、さらには必要に応じた他の構成部は、光源である照明ユニット８０から照射され被照射体である原稿から反射された光を読み取り、被照射体に関する画像情報を生成する読取手段として機能する。
【００４６】
続いて、ＣＣＤイメージセンサ８８にて生成された各色画像信号（Ｒ、Ｇ、Ｂ）を処理する機能を有する信号処理部９０について説明する。
【００４７】
まず、信号処理部９０のハードウエア構成について説明する。図４は、本実施の形態の信号処理部９０の一例の概略構成図である。本実施の形態の信号処理部９０は、ＣＰＵ９３、ＲＡＭ９４、ＲＯＭ９５、ＮＶＭ（Ｎｏｎ  Ｖｏｌａｔｉｌｅ  Ｍｅｍｏｒｙ：不揮発性メモリ）９７、及びＩ／Ｆ部９８を備えて構成されている。ＣＰＵ９３、ＲＡＭ９４、ＲＯＭ９５、ＮＶＭ９７、及びＩ／Ｆ（インターフェース）部９６は、コントロールバスやデータバス等のバス９９を介して互いに情報等の授受されるように接続されている。
【００４８】
ＣＰＵ９３は、原稿を読み取って生成した画像信号を処理するに際して、予め定められた処理プログラムに従ってデジタル演算処理を実行する機能を有する。ＲＡＭ９４は、ＣＰＵ９３でプログラム９６を実行する際の作業用の領域を確保するものである。ＲＯＭ９５は、ＣＰＵ９３での処理に使用される各種設定値等や詳細を後述する色変換パラメータ設定処理のプログラム９６等が格納される。本実施の形態では、当該プログラム９６がＣＰＵ９３により実行されることにより、詳細を後述する色変換パラメータ設定処理が行われる。ＮＶＭ９７は、電源供給が途絶えた場合にもデータを保持される、電池によりバックアップされたフラッシュメモリ等である。また、Ｉ／Ｆ部９８は、信号処理部９０に接続される画像形成装置部１４の制御部４０や画像処理部４２等の各構成部との信号の入出力を制御するものである。
【００４９】
なお、本実施の形態では、プログラム９６は、予め格納されている構成としているがこれに限らず、外部装置（図示省略）からＲＯＭ９５にインストールされるように構成してもよい。また、インターネット等のネットワークを介して信号処理部９０にプログラムが伝送され、信号処理部９０のＲＯＭ９５にインストールされるように構成してもよい。さらにまた、ＤＶＤ−ＲＯＭやフラッシュメモリ、ＵＳＢ等の外部記録媒体からＲＯＭ９５にインストールされるように構成してもよい。
【００５０】
次に、本実施の形態の信号処理部９０が有する各回路の構成を説明する。図５は、本実施の形態の信号処理部９０の一例のブロック図である。
【００５１】
図５に示すように本実施の形態の信号処理部９０は、サンプルホールド回路１００と、黒レベル調整回路１０２と、増幅回路１０４と、Ａ／Ｄ（アナログ／デジタル）変換回路１０６と、シェーディング補正回路１０８と、を備えている。
【００５２】
サンプルホールド回路１００は、ＣＣＤイメージセンサ８８から転送された各色のアナログ画像信号（Ｒ、Ｇ、Ｂ）をサンプリング（標本化）するとともに予め定められた期間ホールド（保持）するサンプリングホールドを行う機能を有するものである。黒レベル調整回路１０２は、サンプルホールド回路１００によりサンプリングホールドされたアナログ画像信号（Ｒ、Ｇ、Ｂ）について、読み取られた原稿（以下、読取原稿という）の黒に対応する出力と画像読取装置１２の出力の黒レベルとが一致（略一致も含む）するように調整する機能を有するものである。増幅回路１０４は、黒レベル調整された後のアナログ画像信号（Ｒ、Ｇ、Ｂ）を増幅する機能を有するものである。Ａ／Ｄ変換回路１０６は、増幅回路１０４により増幅されたアナログ画像信号（Ｒ、Ｇ、Ｂ）をＡ/Ｄ変換し、デジタルデータである画像データ（Ｒ、Ｇ、Ｂ）に変換する機能を有するものである。シェーディング補正回路１０８は、Ａ／Ｄ変換回路１０６により変換された画像データ（Ｒ、Ｇ、Ｂ）に対して、照明ユニット８０やＣＣＤイメージセンサ８８に起因する読取出力のムラを補正するとともに、読取原稿の白レベルと画像読取装置１２の出力の白レベルとが一致（略一致も含む）するように調整する、シェーディング補正処理を行う機能を有するものである。
【００５３】
また、本実施の形態の信号処理部９０は、遅延回路１１０、変換手段の一例である色変換回路１１２、設定手段の一例である色変換パラメータ設定回路１１４、及び信号処理制御回路１１６を備えている。
【００５４】
遅延回路１１０は、ＣＣＤイメージセンサ８８を構成するＲ用、Ｇ用、Ｂ用の１次元ラインセンサの副走査方向における位置のずれに起因して生じる各画像データ間の読取り時間差を、Ｒの画像データ（画像データＲ）を基準に補正する機能を有するものである。
【００５５】
色変換回路１１２は、色変換パラメータ（色変換係数群）を用いて、ＲＧＢ色空間（第１の色空間：デバイス依存色空間）の画像データ（Ｒ、Ｇ、Ｂ）を輝度色差色空間であるＬ＊ａ＊ｂ＊色空間（第２の色空間：デバイス非依存色空間）の画像データ（Ｌ＊、ａ＊、ｂ＊）に変換する色変換処理を行う機能を有するものである。ここで、「色変換パラメータ」とは、例えばＲＧＢ色空間の画像データ（Ｒ、Ｇ、Ｂ）をＬ＊ａ＊ｂ＊色空間の画像データ（Ｌ＊、ａ＊、ｂ＊）に変換する際に、画像データ（Ｒ、Ｇ、Ｂ）と画像データ（Ｌ＊、ａ＊、ｂ＊）との対応関係を規定するものをいう。
【００５６】
本実施の形態の色変換回路１１２は、具体的一例として、下記の（１）式に一例を示したマトリックス演算を行うことにより色変換処理を行うように構成している。なお、下記の（２）式が本実施の形態の色変換パラメータに対応している。
【００５７】
【数１】
2013070173.tif 000003
色変換回路１１２にて色変換処理された画像データ（Ｌ＊、ａ＊、ｂ＊）は、画像形成装置部１４に備えられた画像処理部６０に転送され、出力色空間であるＣＭＹＫ色空間（デバイス依存色空間）の画像データ（Ｃ、Ｍ、Ｙ、Ｋ）への色変換処理等が行われる。なお、この出力色空間の画像データ（Ｃ、Ｍ、Ｙ、Ｋ）への色変換処理等を行う画像処理部６０は、画像読取装置１２の内部に設けるように構成してもよい。
【００５８】
本実施の形態の色変換パラメータ設定回路１１４は、照明ユニット８０のＬＥＤ８１にて生成された光の色レベルのバラツキ（差異）に応じて、色変換回路１１２において使用する色変換パラメータを選択し、選択した色変換パラメータを色変換回路１１２に設定する機能を有するものである。色変換回路１１２では、色変換パラメータ設定回路１１４によって設定された色変換パラメータを用いて、画像データ（Ｒ、Ｇ、Ｂ）を画像データ（Ｌ＊、ａ＊、ｂ＊）に変換する。
【００５９】
信号処理制御回路１１６は、画像形成装置部１４の制御部４０による制御の下で、サンプルホールド回路１００、黒レベル調整回路１０２、増幅回路１０４、シェーディング補正回路１０８、遅延回路１１０、色変換回路１１２、及び色変換パラメータ設定回路１１４の動作を制御する機能を有するものである。
【００６０】
信号処理部９０では、ＣＣＤイメージセンサ８８から転送された３つのアナログ画像信号（Ｒ、Ｇ、Ｂ）が、サンプルホールド回路１００によりサンプリングされた後、黒レベル調整回路１０２によって黒レベルが調整され、さらに、増幅回路１０４によって予め定めた信号レベルに増幅される。増幅されたアナログ画像信号（Ｒ、Ｇ、Ｂ）は、Ａ／Ｄ変換回路１０６によりＡ／Ｄ変換され、デジタルデータである画像データ（Ｒ、Ｇ、Ｂ）が生成される。シェーディング補正回路１０８は、これらの画像データ（Ｒ、Ｇ、Ｂ）に対し、白基準板７２を読み取った画像データに基づいてＣＣＤイメージセンサ８８を構成する１次元ラインセンサの感度バラツキや光学系の光量分布特性に対応させた補正を施す。
【００６１】
画像データ（Ｒ、Ｇ、Ｂ）は、遅延回路１１０により副走査方向における位置ずれが補正された後、色変換回路１１２によって、Ｌ＊ａ＊ｂ＊色空間の画像データ（Ｌ＊、ａ＊、ｂ＊）に変換される。その際に、色変換パラメータ設定回路１１４は、照明ユニット８０を構成するＬＥＤ８１の色レベルのバラツキに応じて色変換パラメータを選択し、選択した色変換パラメータを色変換回路１１２に設定する。その後、色変換回路１１２によって色変換処理された画像データ（Ｌ＊、ａ＊、ｂ＊）は、画像形成装置部１４に備えられた画像処理部６０に転送される。
【００６２】
次に、信号処理部９０に備えられた本実施の形態の色変換パラメータ設定回路１１４について詳細に説明する。図６に、本実施の形態の色変換パラメータ設定回路１１４の一例のブロック図を示す。
【００６３】
本実施の形態の色変換パラメータ設定回路１１４は、色変換パラメータ設定部１２０及び色変換パラメータ記憶部１２２を備えている。
【００６４】
本実施の形態の色変換パラメータ記憶部１２２は、照明ユニット８０のＬＥＤ８１の色レベルと色変換パラメータとの対応関係（詳細後述）等を予め記憶する機能を有するものであり、例えば、ＨＤＤ等により構成されている。
【００６５】
本実施の形態の色変換パラメータ設定部１２０は、色見本を読み取った画像データ（Ｒ、Ｇ、Ｂ）を色変換回路１１２が標準色変換パラメータを用いて色変換処理した画像データ（Ｌ＊、ａ＊、ｂ＊）を取得し、取得した画像データの色レベル（ここでは、Ｌ＊値、ａ＊値、ｂ＊値をいう）に基づいて、色変換パラメータ記憶部１２２に記憶されている色変換パラメータから色変換パラメータを選択し、選択した色変換パラメータを色変換回路１１２に設定する機能を有している。なお、色変換回路１１２（信号処理部９０）は、このように色変換パラメータ設定部１２０により色変換パラメータが設定されることにより、読取原稿に関する画像データを取得した場合には、照明ユニット８０のＬＥＤ８１の色レベルのバラツキに応じて設定された色変換パラメータを用いて色変換処理を行う。
【００６６】
具体的には本実施の形態の色変換パラメータ設定部１２０は、黄色（Ｙ）の色見本を読み取った画像データの色レベルであるｂ＊値及びシアン色（Ｃ）の色見本を読み取った画像データの色レベルであるａ＊値を、色変換回路１１２から取得する。なお、本実施の形態において黄色の色見本は、（Ｒ、Ｇ、Ｂ）＝（２５５、２５５、０）で表される純粋な黄色、またはこれに近似した色であることが好ましい。また、シアン色の色見本は、（Ｒ、Ｇ、Ｂ）＝（０、２５５、２５５）で表される純粋なシアン色、またはこれに近似した色であることが好ましい。
【００６７】
ここで、照明ユニット８０におけるＬＥＤ８１の色レベルのバラツキ、及びバラツキに応じた色変換パラメータの設定について説明する。ここでは、３種類（ＬＥＤ Ａ、ＬＥＤ Ｂ、ＬＥＤ Ｃの３つのカテゴリ）のＬＥＤ８１の間での色レベルのバラツキを例に挙げて具体的に説明する。ＬＥＤ Ａ、ＬＥＤ Ｂ、及びＬＥＤ Ｃの３つのカテゴリは、例えば、製造ロットや製造日等が異なるものであり、それぞれのカテゴリに属するＬＥＤ８１が複数存在している。このように、カテゴリにより製造ロットや製造日等が異なる場合、例えば、ＬＥＤ８１を構成する黄色蛍光物質の特性や添加量や分散状態等にバラツキが発生し、当該バラツキに起因して、発光する光の色レベルが変動し、カテゴリ間でバラツキが発生することがある。
【００６８】
（基本例）
【００６９】
各カテゴリに属するＬＥＤ８１を用いて、黄色の色見本を読み取った画像データ（Ｒ、Ｇ、Ｂ）を色変換回路１１２で変換したＬ＊ａ＊ｂ＊色空間の画像データのｂ＊値（以下、黄色のｂ＊値という）の上限値及び下限値を図７（Ａ）に示す。また、シアン色の色見本を読み取った画像データ（Ｒ、Ｇ、Ｂ）を色変換回路１１２で変換したＬ＊ａ＊ｂ＊色空間の画像データのａ＊値（以下、シアン色のａ値という）の上限値及び下限値を図７（Ｂ）に示す。
【００７０】
カテゴリＬＥＤ Ａでは、黄色のｂ＊値は２２１以上、２４０未満であり、シアン色のａ＊値は５１以上、７０未満である。カテゴリＬＥＤ Ｂでは、黄色のｂ＊値は２０１以上、２２０未満であり、シアン色のａ＊値は５１以上、７０未満である。カテゴリＬＥＤ Ｃでは、黄色のｂ＊値は２０１以上、２２０未満であり、シアン色のａ＊値は３１以上、５０未満である。
【００７１】
黄色のｂ＊値とシアン色のａ＊値との組み合わせと各カテゴリとの対応関係を二元表に表したものを図８に示す。なお、本実施の形態では、黄色のｂ＊値とシアン色のａ＊値との組み合わせのうち、対応するカテゴリが存在しない組み合わせについては、エラー（図８、「Ｅｒｒｏｒ」参照）としている。
【００７２】
図７及び図８に示した基本例では、色変換パラメータ設定回路１１４の色変換パラメータ設定部１２０は、色変換回路１１２から黄色のｂ＊値及びシアン色のａ＊値を取得することにより、取得した黄色のｂ＊値及びシアン色のａ＊値の組み合わせから一義的にＬＥＤ８１のカテゴリが定まる。本実施の形態では、各カテゴリの特性に応じた色変換パラメータが予め定められており、各カテゴリと色変換パラメータとの対応関係が色変換パラメータ記憶部１２２に記憶されている。本実施の形態では、カテゴリが定まると、当該カテゴリに応じた色変換パラメータが選択される。
【００７３】
なお、１つの色レベルを用いた場合では、照明ユニット８０のＬＥＤ８１のカテゴリが当該色レベルからは定められない場合がある。例えば、黄色のｂ＊値のみを用いた場合では、カテゴリＬＥＤ ＢとカテゴリＬＥＤ Ｃとは区別できない。また、シアン色のａ＊値のみを用いた場合では、カテゴリＬＥＤ ＡとカテゴリＬＥＤ Ｂとは区別できない。
【００７４】
一方、本基本例では、２つの色レベル（黄色のｂ＊値及びシアン色のａ＊値）を用いており、当該２つの色レベルの組み合わせとＬＥＤ８１のカテゴリ（色変換パラメータ）との対応関係が予め定められているため、黄色のｂ＊値及びシアン色のａ＊値を取得することにより、一義的に色変換パラメータが選択される。
【００７５】
（複雑例）
【００７６】
次に、各カテゴリ間での色レベルのバラツキが基本例よりも複雑な場合について説明する。各カテゴリ毎に、サンプルとして７個のＬＥＤ８１の黄色のａ＊値、ｂ＊値及びシアン色のａ＊値、ｂ＊値を図９に示す。図９（Ａ）は、黄色のａ＊値及びｂ＊値を示しており、（Ｂ）は、シアン色のａ＊値及びｂ＊値を示している。なお、図９では、（ａ＊、ｂ＊）＝（１２８、１２８）を無彩色として、０〜２５５の値により色レベルを示している。
【００７７】
図９（Ａ）、（Ｂ）に示すように、カテゴリＬＥＤ Ｂに属する一群のＬＥＤ８１とカテゴリＬＥＤ Ｃに属する一群のＬＥＤ８１とでは、分布が一部重複している。ここで、各カテゴリに属する個々のＬＥＤ８１について見てみると、黄色（図９（Ａ））における、カテゴリＬＥＤ ＢのサンプルＢ７と、カテゴリＬＥＤ ＣのサンプルＣ１とは、特性（ａ＊値、ｂ＊値）が近いが、シアン色（図９（Ｂ））におけるサンプルＣ１はカテゴリＬＥＤ Ｂの一群（以下、Ｂ群という）とは離れたところにあり、特にａ＊値の差異が顕著に見られる。また、シアン色（図９（Ｂ））におけるサンプルＣ７はＢ群と重なっているが、黄色においてはＢ群からは離れたところにあり、特にｂ＊値の差異が顕著に見られる。このように、これら各ＬＥＤ８１の分布の傾向(黄色での重複しているサンプルはシアン色においては重複していないことや、ａ＊値とｂ＊値とに相関関係があること)を鑑みて２色の色見本からそれぞれ１座標軸ずつ抽出した値による二元表を構成することで、上述のように、重複のある色分布であってもＬＥＤ８１の色特性がカテゴリ分けされるため、最適なパラメータが選択される。本複雑例に最適な二元表の例を図１０に示す。図１０では、上述したように、色レベルの差が顕著に表れる、黄色のｂ＊値とシアン色のａ＊値とを用いている。
【００７８】
図１０に示すように、黄色のｂ＊値及びシアン色のａ＊値の各色レベルを複数に分割することにより、このように色分布の一部が重複する複雑例であっても、上述の基本例と同様に、黄色のｂ＊値及びシアン色のａ＊値の組み合わせから一義的にＬＥＤ８１のカテゴリが定まる。本実施の形態では、上述の基本例と同様に、カテゴリが定まると、当該カテゴリに応じた色変換パラメータが選択される。
【００７９】
次に、本実施の形態の画像読取装置１２における色変換パラメータの設定処理について説明する。図１１に、本実施の形態の色変換パラメータ設定処理の一例のフローチャートを示す。当該色変換パラメータ設定処理は、Ｕ／Ｉ部４８によりユーザからの指示を受け付けた場合等に実行される。なお、この際ユーザは、黄色及びシアン色の色見本が記載された原稿（以下、色見本という）を原稿台６０または第１プラテンガラス７０上に置き、当該色見本の読取りを指示する。
【００８０】
色見本の読取りが指示されるとステップＳ１００では、フルレートキャリッジ７６を色見本を読み取る位置に移動させ、静止させた後、照明ユニット８０を制御して光源であるＬＥＤ８１を発光させる。
【００８１】
次のステップＳ１０２では、黄色の色見本及びシアン色の色見本の反射光を読み取るよう指示する。ＬＥＤ８１から発光された光は、色見本の黄色の色見本及びシアン色の色見本で反射し、反射光がＣＣＤイメージセンサ８８に導かれる。ＣＣＤイメージセンサ８８にて得られた黄色の色見本及びシアン色の色見本を読み取った画像信号（Ｒ、Ｇ、Ｂ）は、信号処理部９０に転送される。
【００８２】
次のステップＳ１０４では、ＲＧＢ色空間の画像データ（Ｒ、Ｇ、Ｂ）を標準色変換パラメータを用いてＬ＊ａ＊ｂ＊色空間の画像データ（Ｌ＊、ａ＊、ｂ＊）に変換するよう色変換回路１１２に指示する。信号処理部９０では、転送された画像信号（Ｒ、Ｇ、Ｂ）に対して上述の各処理を順次施し、画像データ（Ｒ、Ｇ、Ｂ）の色変換処理を色変換回路１１２で行う。この際、色変換回路１１２では、予め設定されている標準色変換パラメータを用いて色変換処理を行う。本実施の形態で「標準色変換パラメータ」とは、予め初期値として設定されている色変換パラメータであり、目標色レベル（色レベルの目標値）からなるＬＥＤである場合８１を光源として使用して生成した色変換パラメータである。すなわち、ＬＥＤ８１の色レベルが目標色レベルである場合に、標準色変換パラメータを用いることにより、目標とする画像データ（Ｒ、Ｇ、Ｂ）から画像データ（Ｌ＊、ａ＊、ｂ＊）への色変換処理が実行される。
【００８３】
次のステップＳ１０６では、色変換回路１１２から黄色のｂ＊値及びシアン色のａ＊値を取得するように色変換パラメータ設定回路１１４に指示する。色変換回路１１２で変換された黄色の色見本及びシアン色の色見本の画像データ（Ｌ＊、ａ＊、ｂ＊）のうち、黄色のｂ＊値及びシアン色のａ＊値が色変換パラメータ設定回路１１４に取得される。
【００８４】
次のステップＳ１０８では、取得した黄色のｂ＊値及びシアン色のａ＊値に基づいて、色変換パラメータ記憶部１２２に記憶されている対応関係表から色変換パラメータを選択するよう色変換パラメータ設定回路１１４に指示する。色変換パラメータ設定回路１１４の色変換パラメータ設定部１２０では、取得した黄色のｂ＊値とシアン色のａ＊値との組み合わせに対応する色変換パラメータを色変換パラメータ記憶部１２２に記憶されている対応関係表（例えば、図８及び図１０）に基づいて選択する。本実施の形態では、上述したように、まず、黄色のｂ＊値およびシアン色のａ＊値の組み合わせに対応するカテゴリが色変換パラメータ記憶部１２２に記憶されている対応関係表から決定され、決定されたカテゴリに対応付けられている色変換パラメータが選択される。なお、本実施の形態では、照明ユニット８０は光源であるＬＥＤ８１を複数備えている（図３参照）が、照明ユニット８０が備える全てのＬＥＤ８１に対して一つの色変換パラメータが選択される。
【００８５】
次のステップＳ１１０では、エラーが選択されたか否かを判断する。本実施の形態では、上述したように、黄色のｂ＊値とシアン色のａ＊値との組み合わせた適切ではない場合、エラー（図８及び図１０のＥｒｒｏｒ参照）が選択される。エラーではなく、色変換パラメータが選択された場合は、否定されてステップＳ１１２へ進み、選択した色変換パラメータを色変換回路１１２に設定した後、本処理を終了する。これにより、照明ユニット８０のＬＥＤ８１の色レベルに応じた色変換パラメータが色変換回路１１２に設定された状態となる。この後、原稿の読取りを行う場合は、色変換回路１１２は、設定された色変換パラメータを用いて色変換処理を行うため、適切な色変換がなされる。
【００８６】
一方、エラーが選択された場合は、肯定されてステップＳ１１４へ進み、予め定められたエラー処理を行った後、本処理を終了する。本実施の形態では、このようにエラーが選択された場合は、ユーザに対して、その旨を報知する。また例えば、色見本が、原稿の読取り位置に正しく置かれているか等の確認を促す旨の報知を行う。当該報知により、ユーザは、例えば、再度、色見本を原稿台６０または第１プラテンガラス７０上に置き直し、読取りをＵ／Ｉ部４８により指示する。なお、再度色見本の読取りが指示された場合は、上述の本処理が繰り返される。
【００８７】
また、本実施の形態では、エラーが選択された場合は、色変換回路１１２には、標準色変換パラメータが設定された状態のままとする。このように本実施の形態では、取得した黄色のｂ＊値及びシアン色のａ＊値の組み合わせがエラーとなった場合は、ユーザに対してその旨を報知すると共に、色変換回路１１２に標準色変換パラメータが設定された状態とするため、不適切な色変換パラメータが色変換回路１１２に設定されるのを抑制する。
【００８８】
以上説明したように、本実施の形態の画像形成装置１０の画像読取装置１２では、信号処理部９０が色変換パラメータ設定回路１１４を備えており、色変換パラメータ設定回路１１４は、色変換パラメータ設定部１２０及び色変換パラメータ記憶部１２２を含んで構成されている。色変換パラメータ記憶部１２２には、黄色のｂ＊値及びシアン色のａ＊値の組み合わせと色変換パラメータ（カテゴリ）との対応関係表が予め記憶されている。色変換パラメータ設定処理では、黄色の色見本及びシアン色の色見本を読み取った画像データ（Ｒ、Ｇ、Ｂ）を色変換回路１１２で画像データ（Ｌ＊、ａ＊、ｂ＊）に色変換処理し、色変換パラメータ設定回路１１４の色変換パラメータ設定部１２０が色変換パラメータ設定回路１１４から、黄色のｂ＊値及びシアン色のａ＊値を取得する。色変換パラメータ設定部１２０は、色変換パラメータ記憶部１２２に記憶されている対応関係表に基づいて、取得した黄色のｂ＊値及びシアン色のａ＊値の組み合わせに対応する色変換パラメータを選択する。
【００８９】
このように本実施の形態では、対応関係表に基づいて、取得した黄色のｂ＊値及びシアン色のａ＊値の組み合わせに対応する色変換パラメータを選択するため、光源であるＬＥＤ８１のカテゴリに応じた色レベルの差異に対して適切な色変換パラメータが選択され、色変換回路１１２に設定される。
【００９０】
従って、色変換回路１１２では、照明ユニット８０のＬＥＤ８１のカテゴリに応じた色レベルの差異に対して適切な色変換パラメータにより色空間の変換が行われるようになる。その結果、画像読取装置１２同士における、色変換された画像データ（Ｌ＊、ａ＊、ｂ＊）の色のバラツキが抑えられ、色変換回路１１２（画像読取装置１２）における色変換精度が向上される。
【００９１】
［第２の実施の形態］
【００９２】
本実施の形態では、第１の実施の形態と色変換パラメータ設定処理及び当該色変換パラメータ設定処理に伴って色変換パラメータ記憶部１２２に記憶されているものが異なるためここでは、異なる構成、処理、及び動作について詳細に説明し、第１の実施の形態と略同様の構成及び動作については同一符号を付す等し、詳細な説明を省略する。本実施の形態の画像形成装置１０、画像読取装置１２、及び画像形成装置部１４の構成は略同様であるため、ここでは、詳細な説明を省略する。
【００９３】
まず、本実施の形態の照明ユニット８０におけるＬＥＤ８１の色レベルのバラツキと色変換パラメータとの対応関係について説明する。ここでも第１の実施の形態と同様に、３種類（ＬＥＤ Ａ、ＬＥＤ Ｂ、ＬＥＤ Ｃの３つのカテゴリ）のＬＥＤ８１の間での色レベルのバラツキを例に挙げて具体的に説明する。図１２に、本実施の形態の各カテゴリにおける黄色のｂ＊値及びシアン色のａ＊値の分布を示す。
【００９４】
黄色のｂ＊値における分布を見てみると、カテゴリＬＥＤ Ａ及びカテゴリＬＥＤ Ｂは、閾値ＴＨ１以上であり、カテゴリＬＥＤ Ｃは、閾値ＴＨ１未満である。これより、色変換回路１１２から取得した黄色のｂ＊値が閾値ＴＨ１未満である場合は、ＬＥＤ８１のカテゴリがカテゴリＬＥＤ Ｃに定まる。従って、黄色のｂ＊値が閾値ＴＨ１未満であるという条件（条件１）により、一義的にカテゴリＬＥＤ Ｃが定まる。
【００９５】
一方、シアン色のａ＊値における分布を見てみると、カテゴリＬＥＤ Ａは閾値ＴＨ２未満であり、カテゴリＬＥＤ Ｂ及びカテゴリＬＥＤ Ｃは、閾値ＴＨ２以上である。これより、色変換回路１１２から取得したシアン色のａ＊値が閾値ＴＨ２未満である場合は、ＬＥＤ８１のカテゴリがカテゴリＬＥＤ Ａに定まる。従って、シアン色のａ＊値が閾値ＴＨ２未満であるという条件（条件２）により、一義的にカテゴリＬＥＤ ＡまたはカテゴリＬＥＤ Ｂが定まる。
【００９６】
そこで、本実施の形態では、カテゴリ分けを行うための閾値（閾値ＴＨ１、ＴＨ２）とカテゴリ（色変換パラメータ）との対応関係を、第１の実施の形態の色レベル（黄色のｂ＊値及びシアン色のａ＊値）の組み合わせと色変換パラメータとの対応関係表に換えて色変換パラメータ記憶部１２２に予め記憶させておくように構成している。
【００９７】
次に、本実施の形態の画像読取装置１２の信号処理部９０における色変換パラメータ設定処理について説明する。図１３には、本実施の形態の信号処理部９０において実行される色変換パラメータ設定処理の一例のフローチャートを示す。
【００９８】
なお、本実施の形態の色変換パラメータ設定処理（図１３）のステップＳ２００〜ステップＳ２０４は、第１の実施の形態の色変換パラメータ設定処理（図１１）のステップＳ１００〜ステップＳ１０４にそれぞれ対応している。すなわち、第１の実施の形態と同様に、色見本の読取りを指示されると、照明ユニット８０の光源であるＬＥＤ８１を発光させ、黄色及びシアン色の色見本の反射光を読み取った画像データ（Ｒ、Ｇ、Ｂ）を画像データ（Ｌ＊、ａ＊、ｂ＊）に色変換処理させる。
【００９９】
次のステップＳ２０６では、黄色のｂ＊値が閾値ＴＨ１以上であるか否か判断する。すなわち、条件１による判断を行う。まず、色変換パラメータ設定回路１１４の色変換パラメータ設定部１２０では、色変換回路１１２から黄色のｂ＊値を取得し、取得した黄色のｂ＊値が、閾値ＴＨ１以上あるか否か判断する。取得した黄色のｂ＊値が閾値ＴＨ１未満である場合は、否定されてステップＳ２０８へ進む。
【０１００】
上述したように、黄色のｂ＊値が閾値ＴＨ１未満である場合は、カテゴリＬＥＤ Ｃであると定まるため、ステップＳ２０８では、カテゴリＬＥＤ Ｃと決定し、カテゴリＬＥＤ Ｃに対応付けられている色変換パラメータ（第３色変換パラメータ）を選択した後、本処理を終了する。
【０１０１】
一方、黄色のｂ＊値が閾値ＴＨ１以上である場合は、肯定されてステップＳ２１０へ進む。ステップＳ２１０では、シアン色のａ＊値が閾値ＴＨ２以上であるか否か判断する。すなわち、条件２による判断を行う。本実施の形態では、次に、色変換パラメータ設定回路１１４の色変換パラメータ設定部１２０は、色変換回路１１２からシアン色のａ＊値を取得し、取得したシアン色のａ＊値が、閾値ＴＨ２以上あるか否か判断する。取得したシアン色のａ＊値が閾値ＴＨ２未満である場合は、否定されてステップＳ２１２へ進む。
【０１０２】
上述したように、シアン色のａ＊値が閾値ＴＨ２未満である場合は、カテゴリＬＥＤ Ａであると定まるため、ステップＳ２１２では、カテゴリＬＥＤ Ａと決定し、カテゴリＬＥＤ Ａに対応付けられている色変換パラメータ（第１色変換パラメータ）を選択した後、本処理を終了する。
【０１０３】
一方、取得したシアン色のａ＊値が閾値ＴＨ２以上である場合は、肯定されてステップＳ２１４へ進む。上述したように、シアン色のａ＊値が閾値ＴＨ２以上である場合は、カテゴリＬＥＤ Ｂであると定まるため、ステップＳ２１４では、カテゴリＬＥＤ Ｂと決定し、カテゴリＬＥＤ Ｂに対応付けられている色変換パラメータ（第２色変換パラメータ）を選択した後、本処理を終了する。
【０１０４】
以上説明したように、本実施の形態の画像読取装置１２における色変換パラメータ設定回路１１４の色変換パラメータ記憶部１２２には、黄色のｂ＊値における閾値ＴＨ１と色変換パラメータ（カテゴリ）との対応関係、及びシアン色のａ＊値における閾値ＴＨ２と色変換パラメータ（カテゴリ）との対応関係が予め記憶されている。色変換パラメータ設定処理では、黄色の色見本及びシアン色の色見本を読み取った画像データ（Ｒ、Ｇ、Ｂ）を色変換回路１１２で画像データ（Ｌ＊、ａ＊、ｂ＊）に色変換処理する。色変換パラメータ設定回路１１４の色変換パラメータ設定部１２０は、黄色のｂ＊値を取得し、閾値ＴＨ１以上であるか否かを判断し、閾値ＴＨ１未満の場合は、カテゴリＬＥＤ Ｃと判断して対応する第３色変換パラメータを選択して、色変換回路１１２に設定する。また、黄色のｂ＊値が閾値ＴＨ１以上の場合は、シアン色のａ＊値を取得して、閾値ＴＨ２以上であるか否かを判断する。閾値ＴＨ２未満の場合は、カテゴリＬＥＤ Ｂと判断して対応する第２色変換パラメータを選択して色変換回路１１２に設定する。一方、閾値ＴＨ２以上の場合は、カテゴリＬＥＤ Ａと判断して対応する第１色変換パラメータを選択して色変換回路１１２に設定する。
【０１０５】
このように本実施の形態では、黄色のｂ＊値及びシアン色のａ＊値毎に設けられた閾値（閾値ＴＨ１、ＴＨ２）以上であるか否かを判断することにより、色変換パラメータを選択するため、光源であるＬＥＤ８１のカテゴリに応じた色レベルの差異に対して適切な色変換パラメータが選択され、色変換回路１１２に設定される。
【０１０６】
従って、色変換回路１１２では、照明ユニット８０のＬＥＤ８１のカテゴリに応じた色レベルの差異に対して適切な色変換パラメータにより色空間の変換が行われるようになる。その結果、画像読取装置１２同士における、色変換された画像データ（Ｌ＊、ａ＊、ｂ＊）の色のバラツキが抑えられ、色変換回路１１２（画像読取装置１２）における色変換精度が向上される。
【０１０７】
なお、本実施の形態では、取得した黄色のｂ＊値が閾値ＴＨ１未満である場は、カテゴリＬＥＤ Ｃ（第３色変換パラメータ）を選択するように構成しているが、これに限らず、この場合にさらに、シアン色のａ＊値を取得し、閾値ＴＨ２以上であればカテゴリＬＥＤ Ｃ（第３色変換パラメータ）を選択し、閾値ＴＨ２未満であればエラー（第１の実施の形態参照）としてもよい。なお、本実施の形態のように、条件１によりカテゴリが決定される場合は、条件２（シアン色のａ＊値が閾値ＴＨ２未満かの判断）を行わないようにすることにより、色変換パラメータ設定処理の処理速度が向上する。
【０１０８】
なお、上記各実施の形態では、色変換回路１１２が、マトリックス演算を行うことにより色変換処理を行うように構成されており、色変換パラメータが上記の式（２）である場合について説明したがこれに限らず、色変換回路１１２をその他の色変換処理を行うものとして構成してもよい。例えば、色変換係パラメータの一例として、（Ｒ、Ｇ、Ｂ）から（Ｌ＊、ａ＊、ｂ＊）へ色変換する多次元（３次元）ルックアップテーブル（ＤＬＵＴ（Ｄｉｒｅｃｔ  Ｌｏｏｋ−Ｕｐ  Ｔａｂｌｅ））を用いて色変換処理を行うようにしてもよい。この場合、ＤＬＵＴが色変換パラメータに対応する。
【０１０９】
また、上記各実施の形態では、黄色のｂ＊値とシアン色のａ＊値との組み合わせと、色変換パラメータ（カテゴリ）と、が対応付けられている場合について説明したがこれに限らない。例えば、色については、黄色及びシアン色以外であってもよいし、色レベルについては、ｂ＊値及びａ＊値以外でもよい。照明ユニット８０に備えられるＬＥＤ８１のカテゴリに応じた色分布特性（図９、図１２参照）を得ておき、当該色分布特性に応じて、カテゴリ同士の差異が顕著に表れる色レベル（軸）を用いるようにすればよい。また、３つ以上の色レベルを組み合わせるようにしてもよい。
【０１１０】
また、上記各実施の形態では、色変換回路１１２が色空間ＲＧＢを色空間Ｌ＊ａ＊ｂ＊に変換する色変換処理を行うものとして構成したがこれに限らず、色空間ＲＧＢをデバイスに非依存の色空間に変換する色変換処理を行うものであれば、特に限定されない。
【０１１１】
また、上記各実施の形態では、色見本を読み取って色変換パラメータ設定処理を行う場合について説明したがこれに限らず、色見本に替わり、画像形成装置１０内に色見本と同色の基準板（例えば、黄色の基準板及びシアン色の基準板）を設けておき、当該基準板からの反射光を読み取るように構成してもよい。
【０１１２】
また、上記各実施の形態では、照明ユニット８０のＬＥＤ８１に対して１つの色変換パラメータを設定していたがこれに限らず、照明ユニット８０に複数備えられたＬＥＤ８１の個々の色レベルの差異に応じて色変換パラメータを設定するようにしてもよいし、ＬＥＤ８１の複数個ずついくつかの組に分け（例えば、制御に応じて区分する）、各組毎に色変換パラメータを設定するようにしてもよい。
【０１１３】
なお、第１の実施の形態及び第２の実施の形態で説明した、画像形成装置１０や画像読取装置１２、画像形成装置部１４等の構成、動作、色変換パラメータ設定処理等は一例であり、本発明の主旨を逸脱しない範囲内において状況に応じて変更されることは言うまでもない。
【符号の説明】
【０１１４】
１０  画像形成装置
１２  画像読取装置
１４  画像形成装置部
９０  信号処理部
１１２  色変換回路
１２０  色変換パラメータ設定部
【図１】
2013070173.tif 000004
【図２】
2013070173.tif 000005
【図３】
2013070173.tif 000006
【図４】
2013070173.tif 000007
【図５】
2013070173.tif 000008
【図６】
2013070173.tif 000009
【図７】
2013070173.tif 000010
【図８】
2013070173.tif 000011
【図９】
2013070173.tif 000012
【図１０】
2013070173.tif 000013
【図１１】
2013070173.tif 000014
【図１２】
2013070173.tif 000015
【図１３】
2013070173.tif 000016